(57)【要約】【課題】免震床の床としての配設を容易に行い得るフリーアクセスパネルを具備した免震床及びこの免震床の設置方法を提供すること。【解決手段】免震床１は、プレキャストコンクリート製の基台本体２及び基台本体２の上面３に設けられた凹球面状の下側摺動面４を有した基台５と、プレキャストコンクリート製のパネル本体６及びパネル本体６の下面７に設けられた凹球面状の上側摺動面８を有していると共に基台５の上方に配されたフリーアクセスパネル９と、基台５の下側摺動面４に摺動自在に接する凸球面状の摺動下面１０及びフリーアクセスパネル９の上側摺動面８に摺動自在に接する凸球面状の摺動上面１１を備えていると共に基台５及びフリーアクセスパネル９間に介在された介在部材１２とを具備している。【選択図】図１
2015040411.tif 000002
【特許請求の範囲】
【請求項１】
プレキャストコンクリート製の基台本体及びこの基台本体に設けられた凹球面状の下側摺動面を有した基台と、プレキャストコンクリート製のパネル本体及びこのパネル本体に設けられた凹球面状の上側摺動面を有していると共に基台の上方に配されたフリーアクセスパネルと、基台の下側摺動面に摺動自在に接する凸球面状の摺動下面及びフリーアクセスパネルの上側摺動面に摺動自在に接する凸球面状の摺動上面を備えていると共に基台及びフリーアクセスパネル間に介在された介在部材とを具備している免震床。
【請求項２】
下側摺動面と上側摺動面とは、同一の曲率半径を有している請求項１に記載の免震床。
【請求項３】
介在部材の摺動下面は、基台の下側摺動面の曲率半径と同一の曲率半径を有しており、介在部材の摺動上面は、フリーアクセスパネルの上側摺動面の曲率半径と同一の曲率半径を有している請求項１又は２に記載の免震床。
【請求項４】
基台は、基台本体の上面において基台本体に埋設されて当該基台本体に一方の面で固定されていると共に金属薄板からなる少なくとも一つの下皿状部材を具備しており、下側摺動面は、下皿状部材の他方の面からなる請求項１から３のいずれか一項に記載の免震床。
【請求項５】
基台本体は、方形状であり、基台は、基台本体の上面の少なくとも四隅の夫々に配されていると共に金属薄板からなる四個の下皿状部材を具備しており、各下皿状部材は、基台本体の上面において基台本体に埋設されて当該基台本体に一方の面で固定されており、下側摺動面は、下皿状部材の夫々の他方の面からなる請求項１から３のいずれか一項に記載の免震床。
【請求項６】
フリーアクセスパネルは、パネル本体の下面においてパネル本体に埋設されて当該パネル本体に一方の面で固定されていると共に金属薄板からなる少なくとも一つの上皿状部材を具備しており、上側摺動面は、上皿状部材の他方の面からなる請求項１から５のいずれか一項に記載の免震床。
【請求項７】
パネル本体は、方形状であり、フリーアクセスパネルは、パネル本体の下面の少なくとも四隅の夫々に配されていると共に金属薄板からなる四個の上皿状部材を具備しており、各上皿状部材は、パネル本体の下面においてパネル本体に埋設されて当該パネル本体に一方の面で固定されており、上側摺動面は、上皿状部材の夫々の他方の面からなる請求項１から５のいずれか一項に記載の免震床。
【請求項８】
複数個の基台を有しており、介在部材は、各基台とフリーアクセスパネルとの間に介在されている請求項１から７のいずれか一項に記載の免震床。
【請求項９】
基台は、長方形状の基台本体に埋設固定されていると共に下側摺動面の中央部の下部を通って基台本体の外周面における短辺側の外面に平行に且つ当該外周面における短辺側の一方の外面から他方の外面に向かう方向において所定の間隔をもって伸びた少なくとも二本の仮固定用の金属製の棒状体と、この棒状体の両端部の夫々に螺合されていると共に各端面が基台本体の長辺側の外面において露出して基台本体に埋設固定されているナットとを具備している請求項１から８のいずれか一項に記載の免震床。
【請求項１０】
フリーアクセスパネルは、長方形状のパネル本体に埋設固定されていると共に上側摺動面の中央部の上部を通ってパネル本体の外周面における短辺側の外面に平行に且つ当該外周面における短辺側の一方の外面から他方の外面に向かう方向において所定の間隔をもって伸びた少なくとも二本の金属製の仮固定用の棒状体と、この仮固定用の棒状体に並置されてパネル本体に埋設固定されていると共にパネル本体の外周面における短辺側の外面に平行に且つ当該外周面における短辺側の一方の外面から他方の外面に向かう方向において所定の間隔をもって伸びた少なくとも二本の金属製の連結用の棒状体と、仮固定用及び連結用の棒状体の両端部の夫々に螺合固定されていると共に端面がパネル本体の長辺側の外面において露出してパネル本体に埋設固定されているナットとを具備している請求項１から８のいずれか一項に記載の免震床。
【請求項１１】
（１）プレキャストコンクリート製の基台本体、この基台本体の上面の少なくとも四隅において当該基台本体に埋設固定されていると共に凹球面状の下側摺動面及び凸球面状の面を有した下皿状部材、この下皿状部材のそれぞれの凸球面状の面の中央部の上部を通って基台本体に埋設固定された少なくとも二本の金属製の第一の棒状体、この第一の棒状体の端部に螺合固定されていると共に端面で基台本体の側面に露出して基台本体に埋設固定された仮固定用の第一のナットを備えた基台と、プレキャストコンクリート製のパネル本体、このパネル本体の下面の少なくとも四隅に埋設固定されていると共に凹球面状の上側摺動面及び凸球面状の面を有した上皿状部材、この上皿状部材のそれぞれの凸球面状の面の中央部の上部を通ってパネル本体に埋設固定された少なくとも二本の金属製の仮固定用の第二の棒状体、この第二の棒状体の端部に螺合固定されていると共に端面でパネル本体の側面に露出してパネル本体に埋設固定された第二のナットを備えたフリーアクセスパネルとの間に介在部材を、その摺動下面を下皿状部材の下側摺動面に、その摺動上面を上皿状部材の上側摺動面に夫々接触させて、配置する工程と、
（２）四個の貫通孔を備えた金属製の板体と、この板体に固定された第三のナットと、この第三のナットに螺合した第一のボルトとを備えた仮固定金具を準備する工程と、
（３）第一及び第二のナットに板体の四個の貫通孔の夫々を介して第二のボルトを螺合して基台及びフリーアクセスパネルを仮固定金具の板体によって互いに仮固定する工程と、
（４）互いに仮固定された基台及びフリーアクセスパネルを設置現場に搬送して基礎床面上に載置する工程と、
（５）第一のボルトの先端面に対面する基礎床面上に金属製の敷板を配置すると共に該敷板に第一のボルトの先端面を接触させる工程と、
（６）第一のボルトを敷板に向かって螺進させてフリーアクセスパネルの基礎床面からの高さを調整する工程と、
（７）フリーアクセスパネルの高さの調整後、基台と基礎床面との間の隙間部分にグラウト材を打設する工程と、
（８）グラウト材の硬化後に、基台及びフリーアクセスパネルから仮固定金具を取り外す工程と、
を具備する免震床の設置方法。
【発明の詳細な説明】
【技術分野】
【０００１】
本発明は、室内に設置されるコンピュータ、サーバーのような機器や工場内に設置される機械等の機械器具類が設置される免震機能を有した免震床及びその設置方法に関する。
【背景技術】
【０００２】
室内に設置されるコンピュータ、サーバーのような機器や工場内に設置される機械等の機械器具類が設置される免震機能を有した免震床に関して、例えば特許文献１では、基礎上に配置される免震構造体と、この免震構造体上に、上から見て縦横に互いに隣り合うように整列して複数配置されているフロアパネルによって構成されたフリーアクセスフロアを設けた免震床構造が提案されている。
【先行技術文献】
【特許文献】
【０００３】
【特許文献１】特開２０１２−９７５００号公報
【発明の概要】
【発明が解決しようとする課題】
【０００４】
ところで、例えば、鉄骨フレームを組み込んだ鉄骨フレーム上に複数のフリーアクセスパネル（床部材）を配設することで免震床を設置する方法が挙げられるが、この場合は、鉄骨フレーム及びフリーアクセスパネルの夫々の位置決めが難しく、また、いったん設置した後の免震床のレイアウト等に伴う再設置も困難である。
【０００５】
本発明は、前記諸点に鑑みてなされたものであって、その目的とするところは、免震床の床としての配設を容易に行い得るフリーアクセスパネルを具備した免震床及びこの免震床の設置方法を提供することにある。
【課題を解決するための手段】
【０００６】
本発明の免震床は、プレキャストコンクリート製の基台本体及びこの基台本体に設けられた凹球面状の下側摺動面を有した基台と、プレキャストコンクリート製のパネル本体及びこのパネル本体に設けられた凹球面状の上側摺動面を有していると共に基台の上方に配されたフリーアクセスパネルと、基台の下側摺動面に摺動自在に接する凸球面状の摺動下面及びフリーアクセスパネルの上側摺動面に摺動自在に接する凸球面状の摺動上面を備えていると共に基台及びフリーアクセスパネル間に介在された介在部材とを具備している。
【０００７】
斯かる免震床によれば、基台本体及びパネル本体は、プレキャストコンクリート製であるので、当該基台本体及びパネル本体を工場で製造でき、また、凹球面状の下側摺動面及び凹球面状の上側摺動面を基台本体及びパネル本体の製造時に同時に形成できるので、製造コストの削減を図ることができる。
【０００８】
本発明の免震床において、下側摺動面と上側摺動面とは、同一の曲率半径を有していてもよく、また、介在部材の摺動下面は、基台の下側摺動面の曲率半径と同一の曲率半径を有しており、介在部材の摺動上面は、フリーアクセスパネルの上側摺動面の曲率半径と同一の曲率半径を有していてもよく、これら下側摺動面及び上側摺動面は、凹球面の一部として、また、摺動下面及び摺動上面は、凸球面の一部として形成されていてもよい。
【０００９】
本発明において、基台は、基台本体の上面において基台本体に埋設されて当該基台本体に一方の面で固定されていると共に金属薄板からなる少なくとも一つの下皿状部材を具備していてもよく、この場合、下側摺動面は、下皿状部材の他方の面からなっていてもよく、また、フリーアクセスパネルは、パネル本体の下面においてパネル本体に埋設されて当該パネル本体に一方の面で固定されていると共に金属薄板からなる少なくとも一つの上皿状部材を具備していてもよく、この場合には、上側摺動面は、上皿状部材の他方の面からなっていてもよい。
【００１０】
基台本体は、長方形及び正方形を含む方形状であってもよく、この場合には、基台は、基台本体の上面の少なくとも四隅の夫々に配されていると共に金属薄板からなる四個の下皿状部材を具備し、各下皿状部材は、基台本体の上面において基台本体に埋設されて当該基台本体に一方の面で固定され、下側摺動面は、下皿状部材の夫々の他方の面からなっていてもよく、また、パネル本体は、長方形及び正方形を含む方形状であってもよく、この場合にも、基台と同様に、フリーアクセスパネルは、パネル本体の下面の少なくとも四隅の夫々に配されていると共に金属薄板からなる四個の上皿状部材を具備し、各上皿状部材は、パネル本体の下面においてパネル本体に埋設されて当該パネル本体に一方の面で固定され、上側摺動面は、上皿状部材の夫々の他方の面からなっていてもよい。
【００１１】
また、本発明の免震床においては、一個のフリーアクセスパネルに対して複数個の基台を有していてもよく、この場合、介在部材は、各基台とフリーアクセスパネルとの間に介在されているとよく、複数個の基台は、夫々の基台自体の重量を軽減することができると共に基台が設置される床等の基礎床面とフリーアクセスパネルとの間に空間が形成されるため、当該空間に配線等を通すことができる。
【００１２】
下側摺動面を有した下皿状部材及び上側摺動面を有した上皿状部材には、金属薄板、好ましくは耐候性鋼板であるステンレス鋼板をプレス成形して得られたものが好ましい。
【００１３】
介在部材は、平面視円形状を呈する鋼等の金属材料から形成された扁平状の摺動基体と、摺動基体の下面の円形状凹部に一部が埋設されて固定された合成樹脂からなる下摺動体と、摺動基体の上面の円形凹部に一部が埋設されて固定された合成樹脂からなる上摺動体とを具備していてもよく、摺動下面及び摺動上面となる下摺動体及び上摺動体の夫々の下方露出表面（下面）及び上方露出表面（上面）は、対面する下側摺動面及び上側摺動面の曲率半径と同一の曲率半径を有した球面の一部として形成されて、対面する下側摺動面及び上側摺動面に摺動自在に接触していてもよい。
【００１４】
下摺動体及び上摺動体の夫々は、ポリテトラフルオロエチレン樹脂を主体とし、場合により、それにガラス繊維等の補強繊維又はガラス粉末等の補強材を混入した円盤状の板体で構成してもよい。
【００１５】
本発明の免震床において、基台は、長方形状の基台本体に埋設固定されていると共に下側摺動面の中央部の下部を通って基台本体の外周面における短辺側の外面に平行に且つ当該短辺側の一方の外面から他方の外面に向かう方向において所定の間隔をもって伸びた少なくとも二本の金属製の仮固定用の棒状体と、この棒状体の端部の夫々に螺合されていると共に各端面が基台本体の長辺側の外面において露出して基台本体に埋設固定されているナットとを具備していてもよく、フリーアクセスパネルは、長方形状のパネル本体に埋設固定されていると共に上側摺動面の中央部の上部を通ってパネル本体の外周面における短辺側の外面に平行に且つ当該短辺側の一方の外面から他方の外面に向かう方向において所定の間隔をもって伸びた少なくとも二本の金属製の仮固定用の棒状体と、この仮固定用の棒状体に並置されてパネル本体に埋設固定されていると共にパネル本体の外周面における短辺側の外面に平行に且つ当該短辺側の一方の外周面から他方の外周面に向かう方向において所定の間隔をもって伸びた少なくとも二本の金属製の連結用の棒状体と、仮固定用及び連結用の棒状体の端部の夫々に螺合固定されていると共に端面がパネル本体の長辺側の外面において露出してパネル本体に埋設固定されているナットとを具備していてもよい。
【００１６】
フリーアクセスパネルに埋設固定された少なくとも二本の金属製の仮固定用の棒状体と、基台に埋設固定された少なくとも二本の金属製の仮固定用の棒状体とは、フリーアクセスパネル及び基台の厚さ方向に相対向して配設されているとよい。
【００１７】
本発明の免震床において、免震床を長手方向に複数個配列する場合、相隣り合う免震床のフリーアクセスパネルの端部間に跨って金属製の連結板をあてがい、この連結板に形成された少なくとも二個の貫通孔をパネル本体に埋設固定された連結用の棒状体に固定されたナットの端面に合致させると共にこのナットにボルトを螺合固定してフリーアクセスパネル同士を連結板によって連結するようにしてもよい。
【００１８】
本発明の免震床において、基台は、工場において、（１）方形状の型枠を組立てる工程と、（２）凹球面状の下側摺動面を備えた金属薄板からなる下皿状部材を、この型枠の少なくとも四隅に凹球面状の下側摺動面を下向きにして配置する工程と、（３）型枠内に互いに直交する複数個の鉄筋を配筋する工程と、（４）下皿状部材の凸球面状の底面の中央部を通って型枠の幅方向に沿い且つ型枠の長手方向に所定の間隔をもって両端部にナットを螺合固定した金属製の仮固定用の棒状体をそれぞれ少なくとも二本ずつ配置する工程と、（５）型枠内にコンクリートを打設する工程と、（６）打設後、コンクリートを養生して十分にコンクリートを硬化させた後、型枠を取り外す工程とを経て製造されてもよく、このようにして製造された基台は、上面の少なくとも四隅に埋設固定された金属薄板からなると共に凹球面状の下側摺動面を備えた下皿状部材と、下皿状部材の凸球面状の面の中央部の下部を通って且つ所定の間隔をもって埋設固定されている共に両端部にナットを螺合固定した仮固定用の棒状体とを備えている。
【００１９】
本発明の免震床におけるフリーアクセスパネルは、工場において、（１）方形状の型枠を組立てる工程と、（２）凹球面状の下側摺動面を備えた金属薄板からなる上皿状部材を、この型枠の少なくとも四隅に凹球面状の開口部を下向きにして配置する工程と、（３）型枠内の長手方向及び幅方向に複数個の鉄筋を配筋する工程と、（４）該上皿状部材の凸球面状の底面の中央部を通って型枠の幅方向に沿い且つ型枠の長手方向に所定の間隔をもって両端部に仮固定用のナットを螺合固定した金属製の仮固定用の棒状体をそれぞれ少なくとも二本ずつ配置する工程と、（５）型枠内の長手方向の一方の端部に該仮固定用の棒状体と長手方向に並置すると共に型枠の長手方向に所定の間隔をもって両端部に連結用のナットを螺合固定した少なくとも二本の金属製の連結用の棒状体を配置する工程と、（６）型枠内にコンクリートを打設する工程と、（７）打設後、コンクリートを養生して十分にコンクリートを硬化させた後、型枠を取り外す工程とを経て製造されてもよく、このようにして製造されたフリーアクセスパネルは、下面の少なくとも四隅に埋設固定された金属薄板からなる下方に向かって凹球面状の上側摺動面を備えた上皿状部材と、上皿状部材の凸球面状の底面の中央部の上部を通って且つ所定の間隔をもって埋設固定された少なくとも二本の金属製の仮固定用の棒状体と、フリーアクセスパネルの長手方向の一方の端部に仮固定用の棒状体と長手方向に並置して埋設固定された少なくとも二本の金属製の連結用の棒状体とを備えている。
【００２０】
本発明の免震床の設置方法は、プレキャストコンクリート製の基台本体、この基台本体の上面の少なくとも四隅において当該基台本体に埋設固定されていると共に凹球面状の下側摺動面及び凸球面状の面を有した下皿状部材、この下皿状部材のそれぞれの凸球面状の面の中央部の上部を通って基台本体に埋設固定された少なくとも二本の金属製の第一の棒状体、この第一の棒状体の端部に螺合固定されていると共に端面で基台本体の側面に露出して基台本体に埋設固定された仮固定用の第一のナットを備えた基台と、プレキャストコンクリート製のパネル本体、このパネル本体の下面の少なくとも四隅に埋設固定されていると共に凹球面状の上側摺動面及び凸球面状の面を有した上皿状部材、この上皿状部材のそれぞれの凸球面状の面の中央部の上部を通ってパネル本体に埋設固定された少なくとも二本の金属製の仮固定用の第二の棒状体、この第二の棒状体の端部に螺合固定されていると共に端面でパネル本体の側面に露出してパネル本体に埋設固定された第二のナットを備えたフリーアクセスパネルとの間に介在部材を、その摺動下面を下皿状部材の下側摺動面に、その摺動上面を上皿状部材の上側摺動面に夫々接触させて、配置する工程と、四個の貫通孔を備えた金属製の板体と、この板体に固定された第三のナットと、この第三のナットに螺合した第一のボルトとを備えた仮固定金具を準備する工程と、第一及び第二のナットに板体の四個の貫通孔の夫々を介して第二のボルトを螺合して基台及びフリーアクセスパネルを仮固定金具の板体によって互いに仮固定する工程と、互いに仮固定された基台及びフリーアクセスパネルを設置現場に搬送して基礎床面上に載置する工程と、第一のボルトの先端面に対面する基礎床面上に金属製の敷板を配置すると共に該敷板に第一のボルトの先端面を接触させる工程と、第一のボルトを敷板に向って螺進させてフリーアクセスパネルの基礎床面からの高さを調整する工程と、フリーアクセスパネルの高さの調整後、基台と基礎床面との間の隙間部分にグラウト材を打設する工程と、グラウト材の硬化後に、基台及びフリーアクセスパネルから仮固定金具を取り外す工程と、を具備している。
【００２１】
斯かる免震床の設置方法によれば、作業スペースを小さくして、作業時間の大幅な短縮を可能とする。
【発明の効果】
【００２２】
本発明によれば、工場生産を可能とし、製造コストの削減を図ることができ、仮固定金具によって予め一体化されているので、設置現場への搬送が容易となると共に、位置決め、配置を容易に行い得る免震床及び免震床の設置方法を提供することができる。
【図面の簡単な説明】
【００２３】
【図１】図１は、本発明の免震床の好ましい例の一部破断平面説明図である。
【図２】図２は、図１に示す例の正面説明図である。
【図３】図３は、図1に示す例の背面説明図である。
【図４】図４は、図１に示す例のＩＶ−ＩＶ線矢視断面説明図である。
【図５】図５は、図１に示す例のＶ−Ｖ線矢視断面説明図である。
【図６】図６は、図１に示す例の正面左側拡大説明図である。
【図７】図７は、図１に示す例の正面右側拡大説明図である。
【図８】図８は、図１に示す例の基台の平面説明図である。
【図９】図９は、図１に示す例のフリーアクセスパネルの平面説明図である。
【図１０】図１０は、図１に示す例の一部拡大正面断面説明図である。
【図１１】図１１は、図１に示す例を仮固定金具で連結した平面説明図である。
【図１２】図１２は、図１に示す例の仮固定状態の説明図で、（ａ）は正面説明図、（ｂ）は側面説明図である。
【図１３】図１３は、図１に示す例の仮固定の施工工程の説明図である。
【図１４】図１４は、図１に示す例の仮固定の施工後の説明図である。
【図１５】図１５は、図１に示す例の動作説明図である。
【図１６】図１６は、本発明の免震床の好ましい他の例の平面説明図である。
【図１７】図１７は、図１６に示す例の一部拡大正面説明図である。
【図１８】図１８は、本発明の免震床の好ましい更に他の例の正面説明図である。
【図１９】図１９は、本発明の免震床の好ましい更に他の例の平面説明図である。
【発明を実施するための形態】
【００２４】
次に本発明の実施の形態を、図に示す好ましい例に基づいて更に詳細に説明する。なお、本発明はこれら例に何等限定されない。
【００２５】
図１から図１０において、本例の免震床１は、プレキャストコンクリート製の基台本体２及び基台本体２の上面３に設けられた凹球面状の下側摺動面４を有した基台５と、プレキャストコンクリート製のパネル本体６及びパネル本体６の下面７に設けられた凹球面状の上側摺動面８を有していると共に基台５の上方に配されたフリーアクセスパネル（床部材）９と、基台５の下側摺動面４に摺動自在に接する凸球面状の摺動下面１０及びフリーアクセスパネル９の上側摺動面８に摺動自在に接する凸球面状の摺動上面１１を備えていると共に基台５及びフリーアクセスパネル９間に介在された介在部材１２とを具備している。
【００２６】
平面視長方形状の基台本体２は、当該基台本体２の平坦な上面３、下面２１及び外周面２２となるこれら上面３、下面２１及び外周面２２を有すると共に上面３の四隅に設けられた凹所２３を有した平面視長方形状であって直方体状のコンクリート体２４と、外周面２２における長辺側の外面２５及び２６並びに短辺側の外面２７及び２８に対して夫々平行に伸びてコンクリート体２４内に格子状に配筋された複数本の鉄筋２９ａ及び２９ｂ（以下、鉄筋２９ａが伸びる方向を方向Ｘと、鉄筋２９ｂが伸びる方向を方向Ｙとする）とを具備しており、これら鉄筋２９ａ及び２９ｂによってコンクリート体２４を補強したプレキャストコンクリート（以下「ＰＣ」と略称する）製となっている。
【００２７】
基台５は、基台本体２に加えて、上面３の四隅の凹所２３においてコンクリート体２４に埋設されて当該コンクリート体２４に一方の面３１で固定されていると共に金属薄板からなる四個の下皿状部材３２と、コンクリート体２４に埋設固定されていると共に下側摺動面４の中央部の下方を通って外面２７及び２８に平行であって方向Ｙに且つ外面２７から外面２８に向かう方向Ｘにおいて所定の間隔をもって伸びた二対の仮固定用の金属製の棒状体３３及び３４並びに３５及び３６と、外面２７側の一対の棒状体３３及び３４並びに外面２８側の一対の棒状体３５及び３６の方向Ｙの各両端部３７の夫々に螺合されていると共に各端面３９及び４０が外面２５及び２６において露出してコンクリート体２４に埋設固定されているナット４１及び４２とを具備している。
【００２８】
凹所２３の夫々に配された下皿状部材３２は、所望の曲率半径を有する下に凸の凸球面状の一方の面３１と、面３１に相補的であって面３１と同一の曲率半径を有する凹球面状の他方の面４５とを有しており、下側摺動面４は、下皿状部材３２の夫々の他方の面４５からなっている。
【００２９】
基台本体２と同様に平面視長方形状のパネル本体６は、当該パネル本体６の平坦な下面７、上面５１及び外周面５２となるこれら下面７、上面５１及び外周面５２を有すると共に下面７の四隅に設けられた凹所５３を有した平面視長方形状であって直方体状のコンクリート体５４と、外周面５２における長辺側の外面５５及び５６並びに短辺側の外面５７及び５８に対して夫々平行に伸びてコンクリート体５４内に格子状に配筋された複数本の鉄筋５９ａ及び５９ｂとを具備しており、これら鉄筋５９ａ及び５９ｂによってコンクリート体５４を補強しＰＣ製となっている。
【００３０】
フリーアクセスパネル９は、パネル本体６に加えて、下面７の四隅の凹所５３においてコンクリート体５４に埋設されて当該コンクリート体５４に一方の面６１で固定されていると共に金属薄板からなる四個の上皿状部材６２と、コンクリート体５４に埋設固定されていると共に上側摺動面８の中央部の上方を通って外面５７及び５８に平行であって方向Ｙに且つ外面５７から外面５８に向かう方向Ｘにおいて所定の間隔をもって伸びた二対の仮固定用の金属製の棒状体６３及び６４並びに６５及び６６と、棒状体６３及び６４並びに６５及び６６に方向Ｘに並置されてコンクリート体５４に埋設固定されていると共にコンクリート体５４の外面５７及び５８に平行であって方向Ｙに且つ外面５７から外面５８に向かう方向Ｘにおいて所定の間隔をもって伸びた二対の金属製の連結用の棒状体６７及び６８並びに６９及び７０と、仮固定用において外面５７側の棒状体６３及び６４並びに外面５８側の棒状体６５及び６６並びに連結用において外面５７側の棒状体６７及び６８並びに外面５８側の棒状体６９及び７０の両端部７１及び７２の夫々に螺合固定されていると共に各端面７３及び７４並びに７５及び７６が外面５５及び５６において露出してコンクリート体５４に埋設固定されているナット７７及び７８並びに７９及び８０とを具備している
【００３１】
凹所５３の夫々に配された上皿状部材６２は、所望の曲率半径を有する上に凸の凸球面状の一方の面６１と、面６１に相補的であって面６１と同一の曲率半径を有する凹球面状の他方の面８５とを有しており、上側摺動面８は、上皿状部材６２の夫々の他方の面８５からなっている。
【００３２】
凹球面状の下側摺動面４と凹球面状の上側摺動面８とは、同一の曲率半径を有している。
【００３３】
摺動部材としての機能を発揮する介在部材１２は、平面視円形状を呈する鋼等の金属材料から形成された扁平状の摺動基体９１と、摺動基体９１の下面の円形状凹部９２に一部が埋設されて摺動基体９１に固定されていると共に下に凸の凸球面状の摺動下面１０を下面に有した合成樹脂製の摺動体９３と、摺動基体９１の上面の円形状凹部９４に一部が埋設されて摺動基体９１に固定されていると共に上に凸の凸球面状の摺動上面１１を上面に有した合成樹脂製の摺動体９５とを具備している。
【００３４】
摺動面となる摺動体９３及び９５の夫々の摺動下面１０及び摺動上面１１は、対面する凹球面状の下側摺動面４及び上側摺動面８の曲率半径と同一の曲率半径を有しており、対面する凹球面状の下側摺動面４及び上側摺動面８に摺動自在に接触している。
【００３５】
以下、上記の免震床１の製造方法を説明する。
【００３６】
基台５は、例えば、工場において、一対の長辺側の枠及び一対の短辺側の枠並びに底枠を有した長方形状の型枠を組立てる工程と、凸球面状の一方の面３１及び凹球面状の下側摺動面４となる他方の面４５を備えた金属薄板からなる下皿状部材３２を、この型枠の底枠の四隅に他方の面４５を下向きにして配置する工程と、型枠の長辺側の枠及び短辺側の枠に平行に複数本の鉄筋２９ａ及び２９ｂを配筋する工程と、下皿状部材３２の面３１の中央部の上方を通って型枠の短辺側の枠に平行に且つ型枠の長辺側の枠の伸びる方向に所定の間隔をもって端部３７にナット４１及び４２を螺合固定した金属製の仮固定用の棒状体３３及び３４並びに３５及び３６において一方の一対の棒状体３３及び３４を短辺側の一方の枠側に、他方の一対の棒状体３５及び３６を短辺側の他方の枠側にそれぞれ配置する工程と、型枠内にコンクリートを打設する工程と、打設後、コンクリートを養生して十分にコンクリートを硬化させた後、型枠を取り外す工程とを経て製造される。
【００３７】
フリーアクセスパネル９は、基台５の製造方法と同様に、例えば、工場において、一対の長辺側の枠及び一対の短辺側の枠並びに底枠を有した長方形状の型枠を組立てる工程と、凸球面状の一方の面６１及び凹球面状の上側摺動面８となる他方の面８５を備えた金属薄板からなる上皿状部材６２を、この型枠の底枠の四隅に他方の面８５を下向きにして配置する工程と、型枠の長辺側の枠及び短辺側の枠に平行に複数本の鉄筋５９ａ及び５９ｂを配筋する工程と、上皿状部材６２の面６１の中央部の上方を通って型枠の短辺側の枠に平行に且つ型枠の長辺側の枠に伸びる方向に所定の間隔をもって端部７１にナット７７及び７８を螺合固定した金属製の仮固定用の棒状体６３及び６４並びに６５及び６６において一方の一対の棒状体６３及び６４を短辺側の一方の枠側に、他方の一対の棒状体６５及び６６を短辺側の他方の枠側にそれぞれ配置する工程と、一対の棒状体６３及び６４並びに６５及び６６の夫々に並置すると共に型枠の短辺側の枠に平行に且つ型枠の長辺側の枠の伸びる方向に所定の間隔をもって端部７２にナット７９及び８０を螺合固定した二対の金属製の連結用の棒状体６７及び６８並びに６９及び７０において一方の一対の棒状体６７及び６８を短辺側の一方の枠側に、他方の一対の棒状体６９及び７０を短辺側の他方の枠側に配置する工程と、型枠内にコンクリートを打設する工程と、打設後、コンクリートを養生して十分にコンクリートを硬化させた後、型枠を取り外す工程とを経て製造される。
【００３８】
このようにして工場で製造された基台５とフリーアクセスパネル９とを、介在部材１２を、その摺動下面１０を下皿状部材３２の下側摺動面４に、その摺動上面１１を上皿状部材６２の上側摺動面８に夫々接触させて、配置して基台５とフリーアクセスパネル９と介在部材１２とを組立てることにより、免震床１を製造し得る。
【００３９】
次にこのようにして製造された免震床１の取付現場への設置方法の一例を図１１から図１４を参照して説明する。
【００４０】
設置に当たって基台５とフリーアクセスパネル９とを仮固定してユニット化するために準備する四個の仮固定金具１００の夫々は、平面視長方形状をなす金属製の板体１０１と、板体１０１の長手方向の上部に形成された貫通孔１０２と、板体１０１の一方の板面１０３に固定されていると共に内面に雌ねじ部を有するナット１０４と、外面に雄ねじ部１０５を有すると共にナット１０４の雌ねじ部に雄ねじ部１０５で螺合して配されたボルト１０６と、板体１０１に板体１０１の幅方向に所定の間隔をもって形成された一対の貫通孔１０７と、貫通孔１０７よりも上方の位置で板体１０１の幅方向に所定の間隔をもって形成された一対の貫通孔１０８と、貫通孔１０７及び１０８の夫々に挿通されるボルト１０９及び１１０とを備えている。
【００４１】
斯かる四個の仮固定金具１００は、板体１０１の他方の板面１１１を基台本体２及びパネル本体６の外面２５及び５５並びに２６及び５６にそれぞれ接触させ、一方の一対の貫通孔１０７を基台本体２の外面２５及び２６で露出したナット４１及び４２の端面３９及び４０にそれぞれ合致させ、他方の一対の貫通孔１０８をパネル本体６の外面５５及び５６で露出したナット７７及び７８の端面７３及び７４にそれぞれ合致させ、貫通孔１０７及び１０８を挿通したボルト１０９及び１１０をナット４１及び４２並びに７７及び７８に螺合させて、コンクリ−ト体２４とコンクリ−ト体５４とに締結することによって、介在部材１２を挟んだ基台５とフリーアクセスパネル９とを仮に相互に互いに連結固定してユニット化するようになっている。
【００４２】
ユニット化された基台５、フリーアクセスパネル９及び介在部材１２は、仮固定金具１００の板体１０１の貫通孔１０２に固定されたワイヤロープ等の紐状体１１５を介して吊り上げられて取付現場へ搬送される。
【００４３】
取付現場へ搬送された仮固定状態の免震床１は、床等の基礎床面１２１に載置され、免震床１が基礎床面１２１に載置された状態で、必要に応じて、仮固定金具１００の板体１０１の一方の板面１０３に固定されたナット１０４に螺合されたボルト１０６の先端面１２２を基礎床面１２１に載置された金属製の敷板１２３に接触させ、この状態でボルト１０６を回転させてナット１０４をねじ送りして板体１０１によって連結固定された基台５及びフリーアクセスパネル９を上昇させ、免震床１の高さ調整を行い、高さ調整を行ったのち、基台５のコンクリート体２４の下面２１と基礎床面１２１との間の離間隙間部分に型枠を組み（図示せず）、型枠内にグラウト材１２４を打設し、グラウト材１２４の硬化期間経過後に仮固定金具１００を免震床１から取り外し、これにより免震床１の基礎床面１２１への設置は、完了する。高さ調整が不要の場合には、グラウト材１２４の打設は不要となる。
【００４４】
以上のように基礎床面１２１に設置された免震床１は、常時においては、介在部材１２が下側摺動面４及び上側摺動面８のほぼ中央に位置されて、パネル本体６の上面５１に設置された機械器具等の構造物（図示せず）の鉛直荷重を受け止めて、当該構造物を基礎床面１２１上で支承している。そして、地震動等により大きな水平力が基礎床面１２１及び基台５に付加されると、下側摺動面４及び上側摺動面８に対して介在部材１２の摺動下面１０及び摺動上面１１に滑りが生じて、図１５に示すように、介在部材１２が揺動されつつ基礎床面１２１及び基台５に対してフリーアクセスパネル９及び構造物が水平方向Ｈに相対的に振動される。このような振動において、介在部材１２は、図２に示すような位置に復帰しようとし、しかも、基礎床面１２１及び基台５の水平方向Ｈに移動に基づくフリーアクセスパネル９及び構造物の震動エネルギは、下側摺動面４及び上側摺動面８と摺動下面１０及び摺動上面１１との間の摩擦によって吸収され、減衰される。したがって、地震等の大きな水平力が基礎床面１２１及び基台５に付加されても、構造物が損壊されるような事態を防ぎ得る。
【００４５】
免震床１は、基台５と、フリーアクセスパネル９と、下側摺動面４及び上側摺動面８間に配された介在部材１２とを具備しているが、図１６及び図１７に示すように、斯かる斯かる免震床１の複数個を、方向Ｘにおいて互いに隣接する一方の基台本体２の外面２８と他方の基台本体２の外面２７とを及び一方のパネル本体６の外面５８と他方のパネル本体６の外面５７とを互いに接触させて、方向Ｘに並置し、金属製の連結板１３１を、当該連結板１３１の貫通孔を貫通すると共にナット８０及び７９に螺合したボルト１３２により、外面５５及び５６において一方のパネル本体６の方向Ｘの一方の端部と他方のパネル本体６の方向Ｘの他方の端部とに跨って当該一方のパネル本体６と他方のパネル本体６とに固定し、斯かる連結板１３１により、方向Ｘに並置された複数個の免震床１を連結してもよい。
【００４６】
また、免震床１は、図１８に示すように、上側摺動面８に対面する下側摺動面４を方向Ｙに夫々二個備えていると共に夫々基台５と同等の二個の基台１４１及び１４２と、一個のフリーアクセスパネル９と、基台１４１及び１４２の夫々及び一個のフリーアクセスパネル９間の夫々に介在された介在部材１２とを具備して、二個の基台１４１及び１４２で介在部材１２を介して一個のフリーアクセスパネル９を支承するようにしてもよい。
【００４７】
方向Ｘに間隔をもって並置された基台１４１及び１４２を有した免震床１によれば、重量を軽減することができると共に基台１４１及び１４２間に配線等を通すことができ、また、免震床１の設置時において、基台１４１及び１４２と基礎床面１２１との間の離間隙間部分へのグラウト材１２４の打設を容易とするばかりでなく、設置作業を簡易化させることができる。
【００４８】
更に、免震床１は、図１９に示すように、下側摺動面４を備えた四個の下皿状部材３２、上側摺動面８を備えた四個の上皿状部材６２及び四個の介在部材１２に加えて、方向Ｘにおいてこれら下皿状部材３２及び上皿状部材６２間の中央部において、下皿状部材３２、上皿状部材６２及び介在部材１２と同様に形成された二個の下皿状部材１５１、上皿部材１５２及び介在部材１５３を具備していてもよい。
【符号の説明】
【００４９】
１  免震床
２  基台本体
３  上面
４  下側摺動面
５  基台
６  パネル本体
７  下面
８  上側摺動面
９  フリーアクセスパネル
１０  摺動下面
１１  摺動上面
１２  介在部材
【図１】
2015040411.tif 000003
【図２】
2015040411.tif 000004
【図３】
2015040411.tif 000005
【図４】
2015040411.tif 000006
【図５】
2015040411.tif 000007
【図６】
2015040411.tif 000008
【図７】
2015040411.tif 000009
【図８】
2015040411.tif 000010
【図９】
2015040411.tif 000011
【図１０】
2015040411.tif 000012
【図１１】
2015040411.tif 000013
【図１２】
2015040411.tif 000014
【図１３】
2015040411.tif 000015
【図１４】
2015040411.tif 000016
【図１５】
2015040411.tif 000017
【図１６】
2015040411.tif 000018
【図１７】
2015040411.tif 000019
【図１８】
2015040411.tif 000020
【図１９】
2015040411.tif 000021